(57)【要約】【課題】映像素材とメタデータとを直接的にリンクさせて，映像素材とメタデータを一元管理することができる映像記録システム等を提供すること。【解決手段】映像記録システム１は，撮像装置１０が生成した映像信号に対してフレーム単位でメタデータを付加するメタデータ付加装置４０と，メタデータが付加された映像信号を記憶媒体５２に記録するＶＴＲ５０と，を備えることを特徴とする。かかる構成により，撮像装置１０の撮影処理と同時並行して，当該撮影処理によって生成された映像信号に対して，関連するメタデータをフレーム単位で順次付加し，さらに，このメタデータが付加された映像信号を記憶媒体５２に順次記録することができる。これにより，メタデータと映像信号とを直接的にリンクさせて同一の記憶媒体５２に記録して，一元管理できる。【選択図】  図１
2004312264.tif 000002
【特許請求の範囲】
【請求項１】
撮像装置が生成した映像信号と，前記映像信号に関連するメタデータとを，記憶媒体に記録する映像記録システムであって：
前記映像信号に対してフレーム単位で前記メタデータを付加して，前記記憶媒体に記録することを特徴とする，映像記録システム。
【請求項２】
前記映像信号に付加される前記メタデータは，前記メタデータの利用目的に応じて，１または２以上のメタデータグループにグループ化されていることを特徴とする，請求項１に記載の映像記録システム。
【請求項３】
前記メタデータグループは，
前記撮像装置が撮影するシーンに関連する情報を含むシーン情報グループ，前記撮像装置の設定情報を含むカメラ設定グループ，前記撮像装置が備えるレンズ装置の設定情報を含むレンズ設定グループ，または前記撮像装置が備えるドーリ装置の設定情報を含むドーリ設定グループの少なくともいずれかを含むことを特徴とする，請求項２に記載の映像記録システム。
【請求項４】
前記映像信号に付加される前記メタデータグループには，固有のグループ識別情報が付与されることを特徴とする，請求項２に記載の映像記録システム。
【請求項５】
前記映像信号に付加される前記メタデータグループには，前記メタデータグループのデータ量情報が付与されることを特徴とする，請求項２に記載の映像記録システム。
【請求項６】
少なくとも１の前記メタデータグループを映像信号の特定領域に付加するときに，他の前記メタデータグループに対応する領域にはダミーデータを付加することを特徴とする，請求項２に記載の映像記録システム。
【請求項７】
前記メタデータは，前記映像信号のブランキング領域に挿入されることにより，前記映像信号に付加されることを特徴とする，請求項１に記載の映像記録システム。
【請求項８】
前記撮像装置は，前記映像信号のフレームレートを変化させて撮像可能であることを特徴とする，請求項１に記載の映像記録システム。
【請求項９】
撮像装置が生成した映像信号に対して，前記映像信号に関連するメタデータをフレーム単位で付加することを特徴とする，メタデータ付加装置。
【請求項１０】
前記メタデータ付加装置は，前記メタデータの利用目的に応じて，前記メタデータを１または２以上のメタデータグループにグループ化し，前記グループ化したメタデータを前記映像信号に付加することを特徴とする，請求項９に記載のメタデータ付加装置。
【請求項１１】
前記メタデータグループは，
前記撮像装置が撮影するシーンに関連する情報を含むシーン情報グループ，前記撮像装置の設定情報を含むカメラ設定グループ，前記撮像装置が備えるレンズ装置の設定情報を含むレンズ設定グループ，または前記撮像装置が備えるドーリ装置の設定情報を含むドーリ設定グループの少なくともいずれかを含むことを特徴とする，請求項１０に記載のメタデータ付加装置。
【請求項１２】
前記メタデータ付加装置は，前記映像信号に付加される前記メタデータグループに，固有のグループ識別情報を付与することを特徴とする，請求項１０に記載のメタデータ付加装置。
【請求項１３】
前記メタデータ付加装置は，前記映像信号に付加される前記メタデータグループに，前記メタデータグループのデータ量情報を付与することを特徴とする，請求項１０に記載のメタデータ付加装置。
【請求項１４】
前記メタデータ付加装置は，少なくとも１の前記メタデータグループを映像信号の特定領域に付加するときに，他の前記メタデータグループに対応する領域にはダミーデータを付加することを特徴とする，請求項１０に記載の映像記録システム。
【請求項１５】
前記メタデータ付加装置は，前記メタデータを前記映像信号のブランキング領域に挿入することにより，前記メタデータを前記映像信号に付加することを特徴とする，請求項９に記載のメタデータ付加装置。
【請求項１６】
被写体を撮像して映像信号を生成する，撮像部と；
前記映像信号に対して，前記映像信号に関連するメタデータをフレーム単位で付加する，メタデータ付加装置と；
を具備することを特徴とする，撮像装置。
【請求項１７】
前記メタデータ付加装置は，前記メタデータの利用目的に応じて，前記メタデータを１または２以上のメタデータグループにグループ化し，前記グループ化したメタデータを前記映像信号に付加することを特徴とする，請求項１６に記載の撮像装置。
【請求項１８】
前記撮像装置は，前記映像信号のフレームレートを変化させて撮像可能であることを特徴とする，請求項１６に記載の撮像装置。
【請求項１９】
撮像装置が生成した映像信号に対して，前記映像信号に関連するメタデータをフレーム単位で付加する，メタデータ付加装置と；
前記メタデータが付加された前記映像信号を記憶媒体に記録する，記録部と；を備えることを特徴とする，映像信号記録装置。
【請求項２０】
前記メタデータ付加装置は，前記メタデータの利用目的に応じて，前記メタデータを１または２以上のメタデータグループにグループ化し，前記グループ化したメタデータを前記映像信号に付加することを特徴とする，請求項１９に記載の映像信号記録装置。
【請求項２１】
撮像装置が生成した映像信号と，前記映像信号に関連するメタデータとを，記憶媒体に記録する映像記録方法であって：
前記映像信号に対してフレーム単位で前記メタデータを付加して，前記記憶媒体に記録することを特徴とする，映像記録方法。
【請求項２２】
前記映像信号に付加される前記メタデータは，前記メタデータの利用目的に応じて，１または２以上のメタデータグループにグループ化されていることを特徴とする，請求項２１に記載の映像記録方法。
【請求項２３】
前記メタデータグループは，
前記撮像装置が撮影するシーンに関連する情報を含むシーン情報グループ，前記撮像装置の設定情報を含むカメラ設定グループ，前記撮像装置が備えるレンズ装置の設定情報を含むレンズ設定グループ，または前記撮像装置が備えるドーリ装置の設定情報を含むドーリ設定グループの少なくともいずれかを含むことを特徴とする，請求項２２に記載の映像記録方法。
【請求項２４】
前記メタデータグループには，固有のグループ識別情報が付与されていることを特徴とする，請求項２２に記載の映像記録方法。
【請求項２５】
前記メタデータグループには，前記メタデータグループのデータ量情報が付与されていることを特徴とする，請求項２２に記載の映像記録方法。
【請求項２６】
少なくとも１の前記メタデータグループを映像信号の特定領域に付加するときに，他の前記メタデータグループに対応する領域にはダミーデータを付加することを特徴とする，請求項２２に記載の映像記録方法。
【請求項２７】
前記メタデータは，前記映像信号のブランキング領域に挿入されることにより，前記映像信号に付加されることを特徴とする，請求項２１に記載の映像記録方法。
【請求項２８】
前記撮像装置は，前記映像信号のフレームレートを変化させて撮像可能であることを特徴とする，請求項２１に記載の映像記録方法。
【請求項２９】
映像信号に関連するメタデータのフォーマットであって：
前記メタデータは前記メタデータの利用目的に応じて複数のメタデータグループにグループ化されており，
前記複数のメタデータグループは直列的に配列されていることを特徴とする，メタデータフォーマット。
【請求項３０】
前記メタデータグループは，
前記映像信号を生成する撮像装置が撮影するシーンに関連する情報を含むシーン情報グループ，前記撮像装置の設定情報を含むカメラ設定グループ，前記撮像装置が備えるレンズ装置の設定情報を含むレンズ設定グループ，または前記撮像装置が備えるドーリ装置の設定情報を含むドーリ設定グループの少なくともいずれかを含むことを特徴とする，請求項２９に記載のメタデータフォーマット。
【請求項３１】
前記映像信号に付加される前記メタデータグループには，固有のグループ識別情報が付与されることを特徴とする，請求項２９に記載のメタデータフォーマット。
【請求項３２】
前記映像信号に付加される前記メタデータグループには，前記メタデータグループのデータ量情報が付与されることを特徴とする，請求項２９に記載のメタデータフォーマット。
【発明の詳細な説明】
【０００１】
【発明の属する技術分野】
本発明は，撮影した映像信号およびそのメタデータを記録するための映像記録システム，メタデータ付加装置，撮像装置，映像信号記録装置，映像記録方法およびメタデータフォーマットに関する。
【０００２】
【従来の技術】
近年，映画，ＴＶ番組などの映像作品の制作分野では，撮影した映像素材に関するメタデータの有効活用が進められている。この映像素材に関するメタデータは，例えば，映像作品のタイトル名，撮影日時，シーン番号などの映像素材の属性を表す情報や，撮影時における撮像装置やレンズ等の設定情報などである（例えば，特許文献１参照）。これらのメタデータは，撮影された映像素材を識別・管理する上で有用な情報であるとともに，映像素材の後処理段階におけるＣＧ（Ｃｏｍｐｕｔｅｒ  Ｇｒａｐｈｉｃｓ）合成処理やコンポジット処理などにも有効利用されている。
【０００３】
従来では，このようなメタデータは，磁気テープ等に記録された映像素材とは別に，パーソナルコンピュータ等の端末上で記録・管理されており，かかる映像素材とメタデータとのリンクは，映像撮影時のタイムコード等を双方に付与することによってなされていた。このため，映像素材を表示処理や後処理等する際には，当該端末等から，タイムコード等を介して当該映像素材に対応するメタデータを読み出して，利用していた。
【０００４】
【特許文献１】
特開平９−４６６２７号公報
【０００５】
【発明が解決しようとする課題】
しかしながら，上記従来のようなメタデータの記録・管理方法では，メタデータと映像素材とがタイムコード等を介して間接的にリンクされているので，必要なメタデータの抽出，表示等が非効率的であるという問題があった。また，映像素材とは別に，メタデータを記録・管理する必要があり，不便であるという問題があった。
【０００６】
さらに，映像素材またはメタデータのいずれか一方が編集された場合には，映像素材と同期させてメタデータを連続的に抽出，表示することができないという問題があった。また，映像素材を可変速撮影（フレームレートを変化させて撮影）する場合には，映像素材のフレーム数とメタデータの記録数との間にずれが生じるため，メタデータと映像素材をタイムコード等でリンクする方法では限界があった。
【０００７】
本発明は，上記問題点に鑑みてなされたものであり，本発明の目的は，映像素材とメタデータとを直接的にリンクすることにより，必要なメタデータを効率的に抽出，表示できるとともに，映像素材とメタデータを一元管理することができ，映像素材の編集処理や可変速撮影にも柔軟に対応することが可能な，新規かつ改良された映像記録システム，映像記録方法等を提供することにある。
【０００８】
【課題を解決するための手段】
上記課題を解決するため，本発明の第１の観点によれば，撮像装置が生成した映像信号と，映像信号に関連するメタデータとを，記憶媒体に記録する映像記録システムが提供される。この映像記録システムは，映像信号に対してフレーム単位でメタデータを付加して，記憶媒体に記録することを特徴とする。
【０００９】
かかる構成により，撮像装置の撮影処理と同時並行して，当該撮影処理によって生成された映像信号に対して，関連するメタデータをフレーム単位で順次付加し，さらに，このメタデータが付加された映像信号を記憶媒体に順次記録することができる。これにより，メタデータと映像信号とを直接的にリンクさせて同一の記憶媒体に記録できる。このため，メタデータおよび映像信号を一元管理することができ，メタデータの利用時に映像信号との整合性をとる必要がない。
【００１０】
また，上記映像信号に付加されるメタデータは，メタデータの利用目的に応じて，１または２以上のメタデータグループにグループ化されている，ように構成してもよい。かかる構成により，メタデータグループ単位で，メタデータの少なくとも一部を抽出することができるので，利用目的に応じて必要なメタデータのみを映像データから抽出して，表示，書き換え等できる
また，上記メタデータグループは，撮像装置が撮影するシーンに関連する情報を含むシーン情報グループ，撮像装置の設定情報を含むカメラ設定グループ，撮像装置が備えるレンズ装置の設定情報を含むレンズ設定グループ，または撮像装置が備えるドーリ装置の設定情報を含むドーリ設定グループの少なくともいずれかを含む，ように構成してもよい。かかる構成により，シーン情報グループのメタデータは，例えば，撮影された映像の属性を表すインデックス情報として機能することができる。また，カメラ設定グループのメタデータは，例えば，撮影された映像の画質等を表す情報として機能することができる。また，レンズ設定グループおよびドーリ設定グループのメタデータは，例えば，撮影された映像内に現れる被写体等の動き，距離等を表す情報として機能することができる。
【００１１】
また，上記映像信号に付加されるメタデータグループには，固有のグループ識別情報が付与される，ように構成してもよい。かかる構成により，グループ識別情報に基づいて，いずれのメタデータグループであるかを識別することができるので，メタデータグループ単位での抽出，書き換え処理を迅速に行うことができる。
【００１２】
また，上記映像信号に付加されるメタデータグループには，メタデータグループのデータ量情報が付与される，ように構成してもよい。かかる構成により，あるメタデータグループのメタデータの抽出，書き換え処理を実行するに際し，データ量情報に基づいて，予め，当該メタデータグループ内のメタデータ量を把握することができる。このため，メタデータグループ単位での抽出，書き換え処理を迅速に行うことができる。
【００１３】
また，上記少なくとも１の前記メタデータグループを映像信号の特定領域に付加するときに，他の前記メタデータグループに対応する領域にはダミーデータを付加する，ように構成してもよい。かかる構成により，あるメタデータグループと同時に付加されたダミーデータを，他のメタデータグループに差し替えることにより，当該メタデータグループを映像信号に後から付加することができる。このため，複数のメタデータグループを，異なるタイミングで順次，映像信号に付加することができる。
【００１４】
また，上記メタデータは，映像信号のブランキング領域（ブランキング期間）に挿入されることにより，映像信号に付加される，ように構成してもよい。かかる構成により，映像信号の各フレームに対してメタデータを好適に付加することができる。
【００１５】
また，上記撮像装置は，映像信号のフレームレートを変化させて撮像可能である，ように構成してもよい。かかる構成により，生成された映像信号のフレームレートが変換する場合であっても，映像信号のフレーム毎にメタデータを付加させることができる。このため，フレームレートが変化している映像信号に対しても，メタデータを好適にリンクさせることができる。
【００１６】
また，上記課題を解決するため，本発明の別の観点によれば，撮像装置が生成した映像信号に対して，映像信号に関連するメタデータをフレーム単位で付加することを特徴とする，メタデータ付加装置が提供される。
【００１７】
かかる構成により，メタデータ付加装置は，撮像装置の撮影処理と同時並行して，当該撮影処理によって生成された映像信号に対して，関連するメタデータをフレーム単位で順次付加することができる。これにより，メタデータと映像信号とを直接的にリンクさせることができる。
【００１８】
また，上記メタデータ付加装置は，メタデータの利用目的に応じて，メタデータを１または２以上のメタデータグループにグループ化し，グループ化したメタデータを映像信号に付加する，ように構成してもよい。
【００１９】
また，上記メタデータグループは，撮像装置が撮影するシーンに関連する情報を含むシーン情報グループ，撮像装置の設定情報を含むカメラ設定グループ，撮像装置が備えるレンズ装置の設定情報を含むレンズ設定グループ，または撮像装置が備えるドーリ装置の設定情報を含むドーリ設定グループの少なくともいずれかを含，ように構成してもよい。
【００２０】
また，上記メタデータ付加装置は，映像信号に付加されるメタデータグループに，固有のグループ識別情報を付与する，ように構成してもよい。
【００２１】
また，上記メタデータ付加装置は，映像信号に付加されるメタデータグループに，メタデータグループのデータ量情報を付与する，ように構成してもよい。
【００２２】
また，上記メタデータ付加装置は，少なくとも１の前記メタデータグループを映像信号の特定領域に付加するときに，他の前記メタデータグループに対応する領域にはダミーデータを付加する，ように構成してもよい。
【００２３】
また，上記メタデータ付加装置は，メタデータを映像信号のブランキング領域に挿入することにより，メタデータを映像信号に付加する，ように構成してもよい。
【００２４】
また，上記課題を解決するため，本発明の別の観点によれば，被写体を撮像して，映像信号を生成する撮像部と；映像信号に対して，映像信号に関連するメタデータをフレーム単位で付加するメタデータ付加装置と；を具備することを特徴とする撮像装置が提供される。
【００２５】
かかる構成により，撮像装置は，撮影処理を実行して映像信号を生成しながら，当該映像信号に対して，関連するメタデータをフレーム単位で順次付加することができる。これにより，メタデータと映像信号とを直接的にリンクさせることができる。なお，かかる撮像装置が備えるメタデータ付加装置は，上記説明したようなメタデータ付加装置と略同一であるので，その説明は省略する。
【００２６】
また，上記撮像装置は，映像信号のフレームレートを変化させて撮像可能である，ように構成してもよい。
【００２７】
また，上記課題を解決するため，本発明の別の観点によれば，撮像装置が生成した映像信号に対して，映像信号に関連するメタデータをフレーム単位で付加する，メタデータ付加装置と；を備え，メタデータが付加された映像信号を記憶媒体に記録する記録部と；を備えることを特徴とする，映像信号記録装置が提供される。
【００２８】
かかる構成により映像信号記録装置は，撮像装置の撮影処理と同時並行して，当該撮影処理によって生成された映像信号に対して，関連するメタデータをフレーム単位で順次付加し，さらに，このメタデータが付加された映像信号を記憶媒体に順次記録することができる。これにより，メタデータと映像信号とを直接的にリンクさせることができる。なお，かかる映像信号記録装置が備えるメタデータ付加装置は，上記説明したようなメタデータ付加装置と略同一であるので，その説明は省略する。
【００２９】
また，上記課題を解決するため，本発明の別の観点によれば，撮像装置が生成した映像信号と，映像信号に関連するメタデータとを，記憶媒体に記録する映像記録方法が提供される。この映像記録方法は，映像信号に対してフレーム単位でメタデータを付加して，記憶媒体に記録することを特徴とする。
【００３０】
また，上記映像信号に付加されるメタデータは，メタデータの利用目的に応じて，１または２以上のメタデータグループにグループ化されている，ようにしてもよい。
【００３１】
また，上記メタデータグループは，撮像装置が撮影するシーンに関連する情報を含むシーン情報グループ，撮像装置の設定情報を含むカメラ設定グループ，撮像装置が備えるレンズ装置の設定情報を含むレンズ設定グループ，または撮像装置が備えるドーリ装置の設定情報を含むドーリ設定グループの少なくともいずれかを含む，ようにしてもよい。
【００３２】
また，上記メタデータグループには，固有のグループ識別情報が付与されている，ようにしてもよい。また，上記メタデータグループには，メタデータグループのデータ量情報が付与されている，ようにしてもよい。
【００３３】
また，少なくとも１のメタデータグループを映像信号の特定領域に付加するときに，他のメタデータグループに対応する領域にはダミーデータを付加する，ようにしてもよい。
【００３４】
また，上記メタデータは，映像信号のブランキング領域に挿入されることにより，映像信号に付加される，ようにしてもよい。
【００３５】
また，上記撮像装置は，映像信号のフレームレートを変化させて撮像可能である，ようにしてもよい。
【００３６】
また，上記課題を解決するため，本発明の別の観点によれば，映像信号に関連するメタデータのメタデータフォーマットが提供される。このメタデータフォーマットでは，メタデータはメタデータの利用目的に応じて複数のメタデータグループにグループ化されており，複数のメタデータグループは直列的に配列されていることを特徴とする。
【００３７】
また，上記メタデータグループは，映像信号を生成する撮像装置が撮影するシーンに関連する情報を含むシーン情報グループ，撮像装置の設定情報を含むカメラ設定グループ，撮像装置が備えるレンズ装置の設定情報を含むレンズ設定グループ，または撮像装置が備えるドーリ装置の設定情報を含むドーリ設定グループの少なくともいずれかを含む，ようにしてもよい。
【００３８】
また，上記映像信号に付加されるメタデータグループには，固有のグループ識別情報が付与される，ようにしてもよい。また，上記映像信号に付加されるメタデータグループには，メタデータグループのデータ量情報が付与される，ようにしてもよい。
【００３９】
【発明の実施の形態】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００４０】
（第１の実施の形態）
以下に，本発明の第１の実施の形態にかかる映像記録システム，撮像装置，メタデータ付加装置，映像信号記録装置，映像記録方法，メタデータフォーマット等について説明する。
【００４１】
＜１．システム構成＞
まず，本実施形態にかかる映像記録システムの概要について説明する。本実施形態にかかる映像記録システムは，例えば，テレビ放送局や，ビデオコンテンツ，映画等の制作会社などが，ＴＶ番組，ビデオコンテンツ，映画などの映像作品を制作するためのシステムである。この映像記録システムは，例えば，撮影現場（撮影スタジオ，ロケ現場等）に設けられ，映像作品を構成する映像素材の映像コンテンツデータを撮影・収録することができる。この映像コンテンツデータは，例えば，映像データ及び／又は音声データから構成されるコンテンツデータである。このうち映像データは，一般的には，例えば，動画像データであるが，図画，写真または絵画などの静止画像データを含むようにしてもよい。
【００４２】
さらに，この映像記録システムは，例えば，撮影した映像素材に関連する各種のメタデータを生成することができる。さらに，映像記録システムは，かかるメタデータをグループ化した上で，映像素材を構成する映像信号に対してフレームごとに付加して，映像信号とともに記憶媒体に記録することができる。なお，このメタデータは，例えば，上記映像素材の概要，属性または撮影機器の設定等を表す上位データであり，映像素材のインデックス情報や，撮影条件等を特定する情報などとして機能するが，詳細については後述する。
【００４３】
次に，図１に基づいて，本実施形態にかかる映像記録システムの全体構成について説明する。なお，図１は，本実施形態にかかる映像記録システム１の概略的な構成を示すブロック図である。
【００４４】
図１に示すように，本実施形態にかかる映像記録システム１は，例えば，撮像装置１０と，集音装置１８と，カメラコントロールユニット（以下では，ＣＣＵという。）２０と，メタデータ入力用端末装置３０と，メタデータ付加装置４０と，ビデオテープレコーダ（以下では，ＶＴＲという。）５０と，メタデータ合成装置６０と，表示装置７０と，から主に構成されている。
【００４５】
撮像装置１０は，例えば，レンズ装置１２に入射した光学像を電気信号に変換するビデオカメラなどであり，被写体を撮像して映像信号を生成・出力することができる。この撮像装置１０は，映像作品を構成する各場面（シーン）を撮影し，生成した映像信号を，例えばＣＣＵ２０に出力することができる。この映像信号は，例えば，プログレッシブ方式またはインターレース方式のいずれの方式で生成されてもよい。
【００４６】
なお，本実施形態では，撮像装置１０からＣＣＵ２０への映像信号の伝送は，例えば光ファイバケーブル等を介して光信号としてなされる。このように光信号として映像信号を伝送することにより，ＨＤ  ＳＤＩ（Ｈｉｇｈ  Ｄｅｆｉｎｉｔｉｏｎ  Ｓｉｒｉａｌ  Ｄｉｇｉｔａｌ  Ｉｎｔｅｒｆａｃｅ）形式で伝送する場合（例えば５０ｍ程度）と比べて，長距離伝送（例えば１ｋｍ程度）が可能になる。このため，撮像装置１０と，ＣＣＵ２０およびＶＴＲ５０等とを十分に離隔して配設することができるので，撮影の自由度が高まる。しかし，かかる例に限定されず，撮像装置１０は，例えば，ＨＤ  ＳＤＩケーブル等で映像信号を伝送してもよい。この場合には，例えば，ＣＣＵ２０を設けずに，撮像装置１０からメタデータ付加装置４０に直接，映像信号を伝送してもよい。
【００４７】
また，撮像装置１０は，例えば，上記撮影時における，撮像装置１０内の各種の設定情報（シャッタスピード，ゲイン等の撮影条件情報）を収集し，これらの設定情報を基にカメラ設定メタデータを生成することができる。さらに，撮像装置１０は，例えば，このカメラ設定メタデータをカメラ設定グループとしてグループ化してパッキングした上で，上記映像信号の１フレーム毎に付加することができるが，詳細については後述する。
【００４８】
また，かかる撮像装置１０は，例えば，レンズ装置１２と，ドーリ装置１４とを具備している。
【００４９】
レンズ装置１２は，例えば，複数枚のレンズと，これらレンズの距離，絞り等を調整する駆動装置とから構成されており，ズーム，アイリス，フォーカス等を調整して，撮像装置１０本体に好適な光学像を入射させることができる。このレンズ装置１２は，例えば，撮影時におけるレンズ装置１２内の各種の設定情報（ズーム，アイリス，フォーカス等の撮影条件情報）を，レンズ設定メタデータとして１フレーム毎に生成することができる。
【００５０】
ドーリ（ｄｏｌｌｙ）装置１４は，撮像装置１０本体を載置して移動させるための台車であり，例えば，撮像装置１０を被写体に接近させたり遠ざけたりして撮影する場合や，移動する被写体とともに撮像装置１０を移動させて撮影する場合などに用いられる。このドーリ装置１４は，例えば，その下部に設けられた滑車をレール上に載置することにより，被写体等に沿って高速移動することができる。かかるドーリ装置１４は，例えば，撮影時におけるドーリ装置１４内の各種の設定情報（ドーリの位置，カメラの向き等の撮影条件情報）を，ドーリ設定メタデータとして１フレーム毎に生成することができる。なお，このドーリ装置１４は，必ずしも設けられなくてもよく，例えば，上方から撮影するためクレーン等に撮像装置１０を設置する場合や，カメラマンが撮像装置１０を担いで撮影する場合などには，不要である。
【００５１】
上記のようにして生成されたレンズ設定メタデータおよびドーリ設定メタデータは，例えば，ＲＳ−２３２Ｃケーブルなどを介してメタデータ付加装置４０に出力される。
【００５２】
集音装置１８は，例えば，マイクロフォンなどで構成されており，音声信号を生成・出力することができる。より詳細には，この集音装置１８は，上記撮像装置１０による撮影時における，背景音や俳優の発声音などの音声情報を集音して，音声信号を生成する。この音声信号は，例えばＶＴＲ５０に出力される。なお，この集音装置１８は，撮像装置１０が具備してもよい，
【００５３】
ＣＣＵ２０は，例えば，撮影装置１０から光信号として入力された映像信号を，ＨＤ  ＳＤＩ用の信号に変換して，ＨＤ  ＳＤＩケーブルを介してメタデータ付加装置４０に出力することができる。また，ＣＣＵ２０は，例えば，当該映像信号から光ファイバケーブル等を介してカメラ設定メタデータを取得することもできる。なお，このＣＣＵ２０は，必ずしも，撮像装置１０とは別体に構成された装置として設けられなくともよく，例えば，撮像装置１０に内蔵されてもよい。特に，例えば，撮像装置１０が映像信号を例えばＨＤ  ＳＤＩ形式で出力するように構成した場合には，このＣＣＵ２０は必須の装置ではない。
【００５４】
メタデータ入力用端末装置３０は，例えば，パーソナルコンピュータなどの情報処理装置及びその周辺装置などで構成されており，ユーザ入力に基づいて，シーン情報メタデータを生成することができる。このシーン情報メタデータは，例えば，撮像装置１０が撮影するシーンに関するメタデータであり，従来の撮影において電子カチンコ等に記載されていた情報（シーン番号，テイク番号等）などである。かかるメタデータ入力用端末装置３０は，例えば，ディレクタ等によってこれから撮影しようとするシーンのシーン番号等が入力されると，これに対応するシーン情報メタデータを生成し，ＲＳ−２３２Ｃケーブルなどを介してメタデータ付加装置４０に出力する。なお，カメラマンまたはディレクタ等は，このメタデータ入力用端末装置３０を利用して，例えば，映像素材の収録時におけるコメント（撮影状況のメモ書き等）を，シーン状況メタデータとして追加入力することもできる。
【００５５】
メタデータ付加装置４０は，本実施形態にかかる特徴的な装置であり，例えば，映像信号に対してフレーム単位で上記メタデータを付加することができる。より詳細には，メタデータ付加装置４０には，例えば，上記レンズ装置１２，ドーリ装置１４およびメタデータ入力用端末装置３０などから，それぞれ，レンズ設定メタデータ，ドーリ設定メタデータ，シーン情報メタデータなどが入力される。メタデータ付加装置４０は，例えば，これらのメタデータを，その利用目的ごとに，レンズ設定グループ，ドーリ設定グループ，シーン情報グループなどといった複数のメタデータグループにグループ化して，パッキングする。さらに，メタデータ付加装置４０は，例えば，このようにグループ化したレンズ設定グループ，ドーリ設定グループおよびシーン情報グループのメタデータを，ＣＣＵ２０から入力された映像信号のブランキング領域に１フレーム毎に順次，挿入して付加することができる。このようにして，全てのメタデータが付加された映像信号は，例えば，ＨＤ  ＳＤＩケーブル等を介してＶＴＲ５０に出力される。
【００５６】
なお，このメタデータ付加装置４０には，リファレンス信号生成装置７２からリファレンス信号（基準同期信号）が入力され，タイムコード信号生成装置７４からタイムコード信号（ＬＴＣ：ｌｉｎｅａｒ  Ｔｉｍｅ  Ｃｏｄｅ）が入力されている。また，かかるＬＴＣをＶＴＲ５０に出力することもできる。
【００５７】
ＶＴＲ５０は，本実施形態にかかる映像信号記録装置として構成されており，例えば，上記メタデータ付加装置４０から入力された映像信号や，集音装置１８から入力された音声信号を，ビデオテープ５２等の記憶媒体に記録することができる。また，このＶＴＲ５０は，ビデオテープ５２に記録されている映像信号等を再生することもできる。また，このＶＴＲ５０は，例えば，メタデータ付加装置４０から入力された映像信号をそのままメタデータ合成装置６０に出力する，あるいは，ビデオテープ５２から再生した映像信号をメタデータ合成装置６０に出力することができる。
【００５８】
なお，本実施形態では，記憶媒体としてビデオテープ５２を用いているが，かかる例に限定されず，例えば，各種の磁気テープ，磁気ディスク，光ディスク，メモリーカード等の任意の記憶媒体であってもよい。また，映像信号記録装置は，上記ＶＴＲ５０の例に限定されず，このような各種の記憶媒体に対応した装置（ディスク装置，各種リーダライタ等）に変更することもできる。
【００５９】
メタデータ合成装置６０は，例えば，上記のように映像信号に付加されているメタデータを抽出，デコードして，当該映像信号に合成するデコーダ装置である。より詳細には，このメタデータ合成装置６０は，例えば，ＶＴＲ５０から入力された映像信号に付加されているメタデータの全部または一部を，フレーム単位で抽出することができる。さらに，このメタデータ合成装置６０は，抽出したメタデータをデコードして映像データに書き換えた上で，当該映像信号にフレーム単位で合成することができる。この合成とは，例えば，上記映像信号と，メタデータの映像データとを，例えばフレーム単位で多重（スーパーインポーズ等）することをいう。
【００６０】
表示装置７０は，例えば，ＬＣＤ（Ｌｉｑｕｉｄ  Ｃｒｙｓｔａｌ  Ｄｉｓｐｌａｙ），ＣＲＴ（Ｃａｔｈｏｄｅ  Ｒａｙ  Ｔｕｂｅ）などのディスプレイ装置である。この表示装置７０は，上記メタデータ合成装置６０から上記メタデータが合成された映像信号が入力されると，当該メタデータがスーパーインポーズ等された映像を表示することができる。
【００６１】
＜２．メタデータの内容＞
次に，本実施形態にかかるグループ化されたメタデータについて詳細に説明する。本実施形態では，例えば，上記のような映像素材に関連する多様なメタデータを，その利用目的等に応じて，例えば４つのメタデータグループにグループ分けして，伝送，記録，管理している。以下では，これら４つのメタデータグループごとに，そのメタデータグループに含まれるメタデータの内容について詳細に説明する。
【００６２】
＜２．１  シーン情報グループ＞
まず，図２に基づいて，シーン情報グループに含まれるシーン情報メタデータについて，具体例を挙げながら詳細に説明する。なお，図２は，本実施形態にかかるシーン情報グループに含まれるシーン情報メタデータの具体例を示す説明図である。
【００６３】
図２に示すように，シーン情報グループに含まれるシーン情報メタデータは，例えば，従来，電子カチンコ（スレート）等に表示されていた「タイムコード」，「シーン番号」，「テイク番号」などの情報をはじめとする，撮像装置１０が撮影するシーンに関連する各種のメタデータである。
【００６４】
・「タイムコード」は，ＬＴＣなどに代表される時間，分，秒，フレーム番号等からなる時間情報である。従来では，この「タイムコード」は，例えば，ビデオテープ５２の音声トラックなどの長手方向に記録されていた。本実施形態では，この「タイムコード」は，タイムコード信号生成装置７４によって生成され，例えば，上記メタデータ付加装置によって映像信号のブランキング領域に１フレーム毎に付される。このタイムコードによって，映像信号の位置を特定することができる。この「タイムコード」のデータ量は例えば１６バイトである。
・「日付」は，撮影が行われた日付を表すテキスト情報であり，そのデータ量は例えば４バイトである。
・「映像作品題名」は，映像作品のタイトルを表すテキスト情報であり，そのデータ量は例えば３０バイトである。
・「撮影チーム番号」は，当該撮影を担当している撮影チーム（クルー）を特定するためのＩＤ番号などであり，そのデータ量は例えば２バイトである。
・「シーン番号」は，映像作品を構成する複数のシーン（Ｓｃｅｎｅ；撮影場面）のうち，撮影が行われているシーンを特定するための番号などであり，そのデータ量は例えば２バイトである。この「シーン番号」を参照することにより，撮影された映像素材が，映像作品中のいかなるシーンに相当するものであるかを識別できる。なお，例えば，シーンをさらに細分化したカットの番号を，シーン情報メタデータとして追加することもできる。
・「テイク番号」は，撮像装置１０による１回の記録開始から記録終了に至るまでの連続した映像単位であるテイク（Ｔａｋｅ）を特定するための番号であり，そのデータ量は例えば２バイトである。この「テイク番号」を参照することにより，記録されている映像信号が，いかなるシーンに属するいかなるテイクに相当するものであるかを識別できる。
・「ロール番号」は，上記テイクをさらに細分化した映像単位であるロール（Ｒｏｌｌ）を特定するための番号であり，そのデータ量は例えば２バイトである。
・「カメラマン」，「ディレクタ」，「プロデューサ」は，それぞれ，撮影を担当したカメラマン名，ディレクタ名，プロデューサ名を表すテキスト情報であり，これらのデータ量はそれぞれ例えば１６バイトである。
【００６５】
このように，シーン情報グループには，例えば，収録された映像の属性情報やインデックス情報となりうるメタデータが集められている。このシーン情報メタデータは，例えば，映像収録段階，後処理段階および編集段階などで，その映像素材のコンテンツを把握し，映像素材を識別，管理する上で有用な情報となる。
【００６６】
＜２．２  カメラ設定グループ＞
次に，図３に基づいて，カメラ設定グループに含まれるカメラ設定メタデータについて，具体例を挙げながら詳細に説明する。なお，図３は，本実施形態にかかるカメラ設定グループに含まれるカメラ設定メタデータの具体例を示す説明図である。
【００６７】
図３に示すように，カメラ設定グループに含まれるカメラ設定メタデータは，例えば，映像を撮影したときの撮像装置１０の設定情報をメインとする各種の撮影条件等を表すメタデータである。
【００６８】
・「カメラＩＤ」は，撮影処理を行った撮像装置１０を特定するためのシリアル番号（機器番号）であり，そのデータ量は例えば４バイトである。
・「ＣＨＵスイッチ  ＯＮ／ＯＦＦ」は，以下に説明するような，撮像装置１０の設定を標準設定から変化させているか否かを表すビット情報であり，そのデータ量は例えば１バイトである。
・「ＣＣＵ  ＩＤ」は，撮影処理を行ったＣＣＵ２０を特定するためのシリアル番号（機器番号）であり，そのデータ量は例えば４バイトである。
・「フィルタ設定」は，撮影時における撮像装置１０のフィルタの設定を表す情報であり，そのデータ量は例えば２バイトである。本実施形態では，例えば，撮像装置１０が５種類のフィルタを２重に備えており，このうち，どのフィルタを２つ組み合わせて撮影したかを表している。
・「シャッタスピード」は，撮影時における撮像装置１０のシャッタスピードの設置値を表す情報であり，そのデータ量は例えば１バイトである。本実施形態では，この「シャッタスピード」は，例えば，「１／１００」〜「１／２０００」秒の間で，６段階に設定可能である。
・「ゲイン」は，撮影時における撮像装置１０のゲインの設置値を表す情報であり，そのデータ量は例えば１バイトである。
・「ＥＣＳ」は，撮影時における撮像装置１０のＥＣＳ（Ｅｘｔｅｎｄｅｄ  Ｃｌｅａｒ  Ｓｃａｎ）機能のＯＮ／ＯＦＦを表す情報であり，そのデータ量は例えば２バイトである。
・「ガンマ（マスター）」は，撮影時における撮像装置１０のガンマ特性（ガンマカーブ等）の設定を表す情報であり，そのデータ量は例えば２バイトである。
・「ガンマ（ユーザ設定）」は，ユーザ設定によりガンマカーブ等を変化させた場合のガンマ特性の設定を表す情報であり，そのデータ量は例えば１バイトである。
・「バリアブルフレームレート」は，可変速撮影可能な撮像装置１０によって撮影された映像信号のフレームレート設定値を表す情報であり，そのデータ量は例えば１バイトである。本実施形態にかかる撮像装置１０は，例えば，２３．９８〜３０Ｐでフレームレートを変化させて撮影可能であるが，かかる例に限定されず，例えば１〜６０Ｐで可変速撮影できるように構成してもよい。
・「映像信号  白レベル」は，撮影時における撮像装置１０のホワイトバランス調整処理による映像信号の白レベル設定値を表す情報であり，そのデータ量は例えば６バイトである。
・「映像信号  黒レベル」は，撮影時における撮像装置１０のブラックバランス調整処理による映像信号の黒レベルの設定値を表す情報であり，そのデータ量は例えば８バイトである。
・「ディテールレベル」は，撮影時における撮像装置１０のディテール調整処理によるディテールレベルの設定値を表す情報であり，そのデータ量は例えば２バイトである。
・「ニーポイント」は，撮影時における撮像装置１０のニー回路で圧縮される映像信号のニーポイントの設定値を表す情報であり，そのデータ量は例えば２バイトである。
・「ニースロープ」は，撮影時において撮像装置１０のニー回路で圧縮される映像信号のニースロープの設定値を表す情報であり，そのデータ量は例えば２バイトである。
・「レコーダステータス」は，ＶＴＲ５０等の映像信号記録再生装置が映像信号を記録する際のフレームレートの設置値を表す情報であり，そのデータ量は例えば１バイトである。この「レコーダステータス」は，上記「バリアブルフレームレート」に対応して決定される。
【００６９】
このように，カメラ設定グループには，例えば，撮影時における撮像装置１０の設定情報などの撮影条件に関するメタデータが集められている。このカメラ設定メタデータは，例えば，映像素材の後処理段階などで，その映像素材の画質（明度，色合い，質感等）などを把握する上で有用な情報となる。
【００７０】
＜２．３  レンズ設定グループ＞
次に，図４に基づいて，レンズ設定グループに含まれるレンズ設定メタデータについて，具体例を挙げながら詳細に説明する。なお，図４は，本実施形態にかかるレンズ設定グループに含まれるレンズ設定メタデータの具体例を示す説明図である。
【００７１】
図４に示すように，レンズ設定グループに含まれるレンズ設定メタデータは，例えば，映像撮影時におけるレンズ装置１２の設定情報をメインとする各種の撮影条件等を表すメタデータである。
【００７２】
・「ズーム」は，撮影時におけるレンズ装置１２の撮影倍率調整処理によるズーム設定値を表す情報であり，そのデータ量は例えば２バイトである。
・「フォーカス」は，撮影時におけるレンズ装置１２の焦点距離調整処理によるフォーカス設定値を表す情報であり，そのデータ量は例えば２バイトである。
・「アイリス」は，撮影時におけるレンズ装置１２の露光調整処理によるアイリス（絞り）設定値を表す情報であり，そのデータ量は例えば２バイトである。
・「レンズＩＤ」は，撮影に使われたレンズ装置１２を特定するためのシリアル番号（機器番号）であり，そのデータ量は例えば４バイトである。
【００７３】
このように，レンズ設定グループには，例えば，撮影時におけるレンズ装置１２の設定情報などの撮影条件に関するメタデータが集められている。このレンズ設定メタデータは，例えば，映像素材の後処理段階などで，その映像素材で撮影されている被写体の動き，撮像装置１０からの距離等を把握する上で有用な情報となる。
【００７４】
＜２．４  ドーリ設定グループ＞
次に，図５に基づいて，ドーリ設定グループに含まれるドーリ設定メタデータについて，具体例を挙げながら詳細に説明する。なお，図５は，本実施形態にかかるドーリ設定グループに含まれるカメラ設定メタデータの具体例を示す説明図である。
【００７５】
図５に示すように，ドーリ設定グループに含まれるドーリ設定メタデータは，例えば，映像撮影時におけるドーリ装置１４の設定情報をメインとする各種の撮影条件等を表すメタデータである。
・「ＧＰＳ」は，撮影時におけるドーリ装置１４の位置（即ち，撮像装置１０の位置）を特定するための緯度および経度情報（Ｇｌｏｂａｌ  Ｐｏｓｉｔｉｏｎｉｎｇ  Ｓｙｓｔｅｍ情報）であり，そのデータ量は例えば１２バイトである。
・「移動方向」は，撮影時におけるドーリ装置１４の移動方向（即ち，撮像装置１０の移動方向）をアングルで表す情報であり，そのデータ量は例えば４バイトである。
・「移動スピード」は，撮影時におけるドーリ装置１４の移動スピード（即ち，撮像装置１０の移動スピード）を表す情報であり，そのデータ量は例えば４バイトである。
・「カメラ方向」は，撮像装置１０の撮影方向を表す情報であり，固定されたドーリ装置１４を基準として，撮像装置１０の回転角度（首を振った角度）で表現される。具体的には，例えば，撮像装置１０の撮像方向を「パン（ｐａｎ）」（Ｚ軸方向），「チルト（ｔｉｌｔ）」（Ｙ軸方向），「ロール（ｒｏｌｌ）」（Ｘ軸方向）の３方向の回転角度で表す。これら３つのデータ量はそれぞれ例えば２バイトである。
・「ドーリ高さ」は，ドーリ装置１４の高さを表す情報であり，そのデータ量は例えば２バイトである。この情報により，撮像装置１０の垂直方向の位置が特定できる。
・「ドーリＩＤ」は，撮影に使われたドーリ装置１４を特定するためのシリアル番号（機器番号）であり，そのデータ量は例えば４バイトである。
【００７６】
このように，ドーリ設定グループには，例えば，撮影時におけるドーリ装置１４の位置，動き等の設定情報からなる撮影条件に関するメタデータが集められている。このドーリ設定メタデータも，例えば，上記レンズ設定メタデータと同様に，映像素材の後処理段階などで，その映像素材に現れている被写体の動き，距離等を把握する上で有用な情報となる。
【００７７】
以上，本実施形態にかかる例えば４つのメタデータグループの内容について説明した。このようにメタデータをグループ化することにより，メタデータの利用目的に応じて，必要なメタデータのみをグループ単位で好適に抽出して，利用，書き換えなどすることができる。
【００７８】
例えば，映像の収録段階では，収録中あるいは収録完了した映像を識別，把握するなどの目的で，シーン番号，タイムコード等を含む上記シーン情報グループのメタデータが抽出されて活用される。また，映像素材の後処理段階では，実写の映像に対してＣＧ映像を合成処理する場合などに，上記カメラ，レンズおよびドーリ設定グループのメタデータが有用である。具体的には，当該映像素材の画質を把握するなどの目的で，上記カメラ設定グループのメタデータが抽出されて活用される。また，当該映像素材内の被写体の動きを把握するなどの目的で，上記レンズ設定グループおよびドーリ設定グループのメタデータが抽出されて活用される。
【００７９】
なお，このようにレンズ設定グループおよびドーリ設定グループのメタデータの利用目的には共通性がある。このため，本実施形態のように，レンズ設定グループおよびドーリ設定グループを別グループとして構成するのではなく，例えば，１つのレンズ・ドーリ設定グループとして構成し，レンズ設定メタデータおよびドーリ設定メタデータを１つにまとめてグループ化するなどしてもよい。
【００８０】
＜３．メタデータフォーマット＞
次に，図６に基づいて，本実施形態にかかるメタデータフォーマットについて説明する。なお，図６は，本実施形態にかかるメタデータフォーマットを説明するための説明図である。
【００８１】
上記のように，本実施形態にかかるメタデータは，例えば４つのメタデータグループにグループ化されている。このようにグループ化されたメタデータは，例えば，上記撮像装置１０およびメタデータ付加装置４０等によって，所定のフォーマットで映像信号にフレーム単位で付加される。
【００８２】
より詳細には，図６（ａ）に示すように，上記メタデータは，例えば，映像信号の垂直ブランキング領域内のアンシラリデータ領域等に，アンシラリデータとしてパッケージ化されて１フレーム毎に挿入される。このパッケージ化されたメタデータの例えば伝送時におけるフォーマットを，図６（ｂ）に示す。
【００８３】
図６（ｂ）に示すように，メタデータは，例えば，シーン情報グループ，カメラ設定グループ，レンズ設定グループおよびドーリ設定グループという４つのメタデータグループにグループ化され，この４つのメタデータグループが連続して直列的に配列されたフォーマットを有する。各メタデータグループは，例えば，ＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ）規格（ＳＭＰＴＥ２９１Ｍ等）に基づいて，ＫＬＶ（Ｋｅｙ  Ｌｅｎｇｔｈ  Ｖａｌｕｅ）符号化されている。
【００８４】
「Ｋ（Ｋｅｙ）」は，例えば，各メタデータグループの先頭に付与される例えば１バイトのキーＩＤ（予約語）である。この「Ｋ」符号は，本実施形態にかかるグループ識別情報として構成されており，各メタデータグループを識別するための符号として機能する。例えば，映像信号のいかなるフレームにおいても，この「Ｋ」符号として，シーン情報グループには常に例えば「０１」を付与し，カメラ設定グループには常に例えば「０２」を付与し，レンズ設定グループには常に例えば「０３」を付与し，レンズ設定グループには常に例えば「０４」を付与することにより，メタデータグループ毎に固有の識別符号を統一して付することができる。このように，メタデータグループ毎に固有のグループ識別情報である「Ｋ」符号を付与することにより，かかるグループ識別情報に基づいて，複数のメタデータグループの中から特定のメタデータグループのみを，フレーム毎に容易に抽出することができる。
【００８５】
「Ｌ（Ｌｅｎｇｔｈ）」は，例えば，上記「Ｋ」符号の次に付与される例えば１バイトのレングス符号である。この「Ｌ」符号は，本実施形態にかかるデータ量情報として構成されており，後続のメタデータグループのデータ量を表す符号として機能する。例えば，あるフレームのシーン情報グループに付された「Ｌ」が「１２４」であれば，当該フレームにおけるシーン情報グループのデータ量が例えば１２４バイトであることを表す。このように，各メタデータグループのコンテンツの前に，データ量情報である「Ｌ」符号を付与することにより，メタデータの抽出或いは書き換え処理の処理効率が向上する。つまり，メタデータ付加装置４０およびＶＴＲ５０等のメタデータを処理する装置は，上記データ量情報である「Ｌ」符号を参照することにより，これから抽出或いは書き換えしようとするメタデータのデータ量を予め把握できる。このため，当該抽出或いは書き換え処理の処理効率が向上する。
【００８６】
「Ｅｌｅｍｅｎｔ」は，例えば，実際の各メタデータグループのメタデータが格納されるユーザデータ領域（Ｖａｌｕｅ領域）であり，可変長である。
【００８７】
また，このようにＫＬＶ符号化されたメタデータグループの前には，伝送されるメタデータの種類を定義，識別するためのフラグである「ＡｎｃｉｌｌａｌｙＤａｔａ  Ｆｌａｇ」アンシラリデータフラグ，「ＤＩＤ：Ｄａｔａ  ｉｄｅｎｔｉｆｉｃａｔｉｏｎ」データＩＤ，「ＳＤＩＤ：Ｓｅｃｏｎｄａｒｙ  Ｄａｔａ  Ｉｄｅｎｔｉｆｉｃａｔｉｏｎ」セカンダリーデータＩＤ，「ＤＣ：Ｄａｔａ  Ｃｏｕｎｔｅｒ」データカウンタ，などが付されている。一方，メタデータグループの後には，伝送時における誤り検出用の「ＣＲＣ：Ｃｙｃｌｉｃ  Ｒｅｄｕｎｄａｎｃｙ  Ｃｈｅｃｋ」，「ＣＨＥＣＫ  ＳＵＭ」などの符号が付されている。
【００８８】
ところで，上記ＳＭＰＴＥ規格では，ＫＬＶ符号化したメタデータを映像信号のアンシラリデータ領域にパッキングして挿入する場合には，アンシラリデータの１パケットサイズが２５５バイトとなるように規格化されている。そこで，本実施形態にかかるメタデータフォーマットでは，この規格に適合するように，グループ化されたメタデータのデータ総量が，例えば２５５バイト以下となるように調整されている。具体的には，例えば，シーン情報グループのメタデータ量が例えば１２４バイト以下，カメラ設定グループのメタデータ量が例えば４０バイト以下，レンズ設定グループのメタデータ量が例えば１０バイト以下，ドーリ設定グループのメタデータ量が例えば５２バイト以下，となるように調整されている。このため，アンシラリデータの１つのパケットサイズが，メタデータ総量で例えば約２２６バイト以下となるように設定されている。
【００８９】
このように，本実施形態にかかるメタデータフォーマットでは，全てのメタデータがアンシラリデータの１パケットサイズ（２５５バイト）内に収まるように設定されている。しかし，かかる例に限定されず，例えば，複数のアンシラリデータパケットを連結させて，これら複数のパケットにメタデータを分割してパッキングするようにしてもよい。
【００９０】
以上説明したように，本実施形態にかかるメタデータフォーマットは，例えば，メタデータに割り当てられた領域を，メタデータグループ数に応じて分割し，各分割領域に，各メタデータグループのメタデータを挿入するような構成である。さらに，各メタデータグループの先頭には，上記グループ識別情報およびデータ量情報がそれぞれ付与されている。かかる構成により，メタデータの利用目的に応じて必要なメタデータを，メタデータグループ毎に，迅速かつ容易に検出，抽出または書き換えることができる。例えば，上記グループ識別情報を，映像作品の収録部署と編集部署との間で共通の識別ＩＤとして共用することで，映像作品の制作過程においてメタデータを好適に利用することができる。
【００９１】
＜４．各装置の構成＞
次に，上記のような映像記録システム１を構成する主要な装置について詳細に説明する。
【００９２】
＜４．１  撮像装置＞
まず，図７に基づいて，本実施形態にかかる撮像装置１０について詳細に説明する。なお，図７は，本実施形態にかかる撮像装置１０の構成を示すブロック図である。
【００９３】
図７に示すように，撮像装置１０は，例えば，ＣＰＵ１００と，メモリ部１０２と，撮像部１０４と，信号処理部１０６と，表示部１０８と，カメラ設定メタデータ生成部１１０と，メタデータ付加部１１２と，送受信部１１４と，レンズ装置１２と，ドーリ装置１４とを備える。
【００９４】
ＣＰＵ（Ｃｅｎｔｒａｌ  Ｐｒｏｃｅｓｓｉｎｇ  Ｕｎｉｔ）１００は，演算処理装置および制御装置として機能し，撮像装置１０の各部の処理を制御することができる。また，メモリ部１０２は，例えば，各種のＲＡＭ，ＲＯＭ，フラッシュメモリ，ハードディスクなどの記憶装置などで構成されており，ＣＰＵ１００の処理に関する各種データ，およびＣＰＵ１００の動作プログラム等を記憶または一時記憶する機能を有する。
【００９５】
撮像部１０４は，例えば，ＯＨＢ（Ｏｐｔｉｃａｌ  ｈｅａｄ  ｂａｓｅ）などで構成されており，被写体を撮像して映像信号を生成する機能を有する。詳細には，この撮像部１０４は，例えば，レンズ装置１２から入射された光学像を，プリズム（図示せず。）によりＲ・Ｇ・Ｂに分光し，各種のフィルタ（図示せず。）を透過させた上で，ＣＣＤ（Ｃｈａｒｇｅ  Ｃｏｕｐｌｅｄ  Ｄｅｖｉｃｅ）等の撮像デバイス（図示せず。）により所定のシャッタスピードで光電変換して，アナログ電気信号である映像信号を生成する。
【００９６】
信号処理部１０６は，撮像部１０４から入力された微弱なアナログ電気信号である映像信号に対して，ゲイン調整（ＡＧＣ）処理，相関２重サンプリング処理，Ａ／Ｄ変換処理，エラー補正処理，ホワイトバランス調整処理，ダイナミックレンジ圧縮処理，ガンマ補正処理，シェーディング補正処理，ディテール調整処理，ニー処理などを施して，デジタル映像信号を出力することができる。なお，本実施形態では，例えば，ＨＤ（Ｈｉｇｈ  Ｄｅｆｉｎｉｔｉｏｎ）デジタル映像信号を生成・出力するよう構成されている。また，この信号処理部１０６は，例えば，上記デジタル映像信号をアナログ映像信号に変換して，表示部１０８に出力することもできる。また，この信号処理部１０６は，例えば，予め設定された条件に基づいて，或いはカメラマンの入力操作に基づいて，出力する映像信号のフレームレートを変化（例えば２３．９８〜３０Ｐ）させることができる。
【００９７】
また，表示部１０８は，例えば，カメラマンが被写体を見るためのビューファインダーなどであり，ＣＲＴモニタなどで構成されている。この表示部１０８は，上記信号処理部１０６から入力された例えばアナログ映像信号を表示出力することができる。なお，この表示部１０８は，例えば，ＬＣＤモニタなどの各種のディスプレイ装置などで構成されてもよい。
【００９８】
カメラ設定メタデータ生成部１１０は，例えば，撮像部１０４の設定情報や，上記信号処理部１０８でのガンマ，ニー，ディテール等の信号処理の設定情報などのパラメータを取得して管理している。さらに，カメラ設定メタデータ生成部１１０は，かかるパラメータに基づいて，上記カメラ設定メタデータを，例えば映像信号の１フレーム毎にそれぞれ生成して，メタデータ付加部１１２に出力する。
【００９９】
メタデータ付加部１１２は，本実施形態にかかるメタデータ付加装置の１つとして構成されている。このメタデータ付加部１１２は，例えば，撮像装置１０の外部へ映像信号を出力するタイミングにあわせて，カメラ設定メタデータを当該映像信号に１フレーム毎に付加することができる。具体的には，このメタデータ付加部１１２は，例えば，カメラ設定メタデータ生成部１１０から入力されたカメラ設定メタデータを，ＫＬＶ符号化してパッキングする。さらに，メタデータ付加部１１２は，このパッキングしたカメラ設定メタデータを，図８（ａ）に示すように，映像信号のブランキング領域のうちカメラ設定グループに割り当てられている領域に，１フレーム毎に順次，挿入する。
【０１００】
このとき，メタデータ付加部１１２は，図８（ａ）に示すように，例えば，カメラ設定グループ以外の，シーン情報グループ，レンズ設定グループおよびドーリ設定グループに対応する領域には，ダミーデータを挿入しておくことができる。
【０１０１】
なお，上記のようなカメラ設定メタデータ生成部１０８およびメタデータ付加部１１０は，例えば，ハードウェアとして構成してもよいし，或いは，上記処理機能を実現するソフトウエアとして構成して，このプログラムをメモリ部１０２に格納してＣＰＵ１００が実際の処理を行うようにしてもよい。
【０１０２】
送受信部１１４は，例えば，上記のようにしてカメラ設定メタデータが付加された映像信号を，光ファイバケーブルを介してＣＣＵ２０に送信する。
【０１０３】
レンズ装置１２は，例えば，光学ブロック１２２と，駆動系ブロック１２４と，レンズ設定メタデータ生成部１２４とを備える。
【０１０４】
光学系ブロック１２２は，例えば，複数枚のレンズ，絞りなどからなり，被写体からの光学像を撮像部１０４に入射させることができる。駆動系ブロック１２４は，例えば，光学系ブロック１２２のレンズ間距離や絞りを調整するなどして，ズーム，アイリス，フォーカスなどを調整することができる。
【０１０５】
レンズ設定メタデータ生成部１２６は，例えば，上記駆動系ブロック１２４のレンズ設定情報等のパラメータを取得して管理している。さらに，レンズ設定メタデータ生成部１２６は，かかるパラメータに基づいて，上記レンズ設定メタデータを例えば１フレーム毎に生成する。このようにして生成されたレンズ設定メタデータは，例えば，ＲＳ−２３２Ｃケーブルを介して，メタデータ付加装置４０に出力される。
【０１０６】
ドーリ装置１４は，例えば，ドーリ計測部１４２と，ドーリ設定メタデータ生成部１４４とを備える。
【０１０７】
ドーリ計測部１４２は，例えば，ＧＰＳ情報，ドーリ装置１４の移動速度や向き，撮像装置１０のアングルなどといった，ドーリ装置１４に関する各種の設定情報を計測して，ドーリ設定メタデータ生成部１４４に出力する。
【０１０８】
ドーリ設定メタデータ生成部１４４は，例えば，上記ドーリ計測部１４２からの計測情報に基づいて，上記ドーリ設定メタデータを，例えば１フレーム毎に生成する。このようにして生成されたドーリ設定メタデータは，例えば，ＲＳ−２３２Ｃケーブルを介して，メタデータ付加装置４０に出力される。
【０１０９】
＜４．２  カメラコントロールユニット＞
次に，図９に基づいて，本実施形態にかかるＣＣＵ２０について詳細に説明する。なお，図９は，本実施形態にかかるＣＣＵ２０の構成を示すブロック図である。
【０１１０】
図９に示すように，ＣＣＵ２０は，例えば，ＣＰＵ２００と，メモリ部２０２と，送受信部２０４と，信号処理部２０６と，シリアライザ２０８と，を備える。
【０１１１】
ＣＰＵ２００は，演算処理装置および制御装置として機能し，ＣＣＵ２０の各部の処理を制御することができる。このＣＰＵ２００には，リファレンス信号が入力されており，映像記録システム１内の他の装置との間で，映像信号の同期をとることができる。また，メモリ部２０２は，例えば，各種のＲＡＭ，ＲＯＭ，フラッシュメモリ，ハードディスクなどの記憶装置などで構成されており，ＣＰＵ２００の処理に関する各種データ，およびＣＰＵ２００の動作プログラム等を記憶または一時記憶する機能を有する。
【０１１２】
送受信部２０４は，例えば，撮像装置１０からカメラ設定メタデータが付加された映像信号を受信し，信号処理部２０６に送信する。
【０１１３】
信号処理部２０６は，例えば，光信号として入力された映像信号を，ＨＤ  ＳＤＩ信号に変換処理して，シリアライザ２０８に出力する。なお，この信号処理部２０６は，上記撮像装置１０の信号処理部１０６の処理機能を具備するように構成することもできる。
【０１１４】
シリアライザ２０８は，例えば，信号処理部２０６から受け取った映像信号をパラレル−シリアル変換して，ＨＤ  ＳＤＩケーブルを介してメタデータ付加装置４０に送信する。なお，このＣＣＵ２０が出力する映像信号のブランキング領域には，図８（ａ）に示したように，例えば，カメラ設定グループに対応する領域にのみ，実際のメタデータが挿入されており，その他のメタデータグループの領域にはダミーデータが挿入されている。
【０１１５】
＜４．３  メタデータ付加装置＞
次に，図１０に基づいて，本実施形態にかかるメタデータ付加装置４０について詳細に説明する。なお，図１０は，本実施形態にかかるメタデータ付加装置４０の構成を示すブロック図である。
【０１１６】
図１０に示すように，メタデータ付加装置４０は，例えば，ＣＰＵ４００と，メモリ部４０２と，メタデータパッキング部４０４と，メタデータエンコーダ４０６と，デシリアライザ４０８と，メタデータ挿入部４１０と，シリアライザ４１２と，を備える。
【０１１７】
ＣＰＵ４００は，演算処理装置および制御装置として機能し，メタデータ付加装置４０の各部の処理を制御することができる。このＣＰＵ４００には，リファレンス信号が入力されており，映像記録システム１内の他の装置との間で，映像信号の同期をとることができる。また，このＣＰＵ４００には，タイムコード信号（ＬＴＣ）が入力されており，このＬＴＣに基づいてシーン情報メタデータの１つであるタイムコード情報を生成して，メモリ部４０２に記憶させることができる。また，かかるＬＴＣをＶＴＲ５０に出力することもできる。
【０１１８】
また，メモリ部４０２は，例えば，各種のＲＡＭ，ＲＯＭ，フラッシュメモリ，ハードディスクなどの記憶装置などで構成されており，ＣＰＵ４００の処理に関する各種データ，およびＣＰＵ４００の動作プログラム等を記憶または一時記憶する機能を有する。また，このメモリ部４０２は，例えば，各装置から送信されてきたメタデータを一時的に記憶するためのメタデータバッファメモリ４０３を具備している。
【０１１９】
このメタデータバッファメモリ４０３は，例えば，上記レンズ装置１２から撮影開始後に順次送信されてくるレンズ設定メタデータ，ドーリ装置１４から撮影開始後に順次送信されてくるドーリ設定メタデータ，メタデータ入力用端末装置３０から撮影開始前に予め所得したシーン情報メタデータ，ＣＰＵ４００から入力されたタイムコード情報，などを記憶する。
【０１２０】
メタデータパッキング部４０４は，例えば，上記メタデータバッファメモリ４０３に蓄えられている各種のメタデータの中から必要なメタデータを抽出し，その利用目的ごとに，レンズ設定グループ，ドーリ設定グループ，シーン情報グループなどといった複数のメタデータグループにグループ化して，上記ＫＬＶの構造にパッキングし直す。メタデータパッキング部４０４は，このようにパッキングしたメタデータをメタデータエンコーダ４０６に出力する。
【０１２１】
メタデータエンコーダ４０６は，上記メタデータパッキング部４０４からのメタデータをエンコードする。上記のようにしてメタデータ付加装置４０に入力されてくるメタデータは，例えばＲＳ−２３２Ｃのプロトコル形式のデータである。このため，メタデータエンコーダ４０６は，例えば，このメタデータを，ＨＤＳＤＩ形式の映像信号へ挿入できるように，アンシラリデータパケット形式にフォーマット変換して符号化する（図６参照）。この符号化により，例えば，メタデータの前後には，上記説明したような各種のフラグやＣＲＣなどが付される。
【０１２２】
デシリアライザ４０８は，ＣＣＵ２０から入力された映像信号をシリアル−パラレル変換して，メタデータ挿入部４１０に出力する。
【０１２３】
メタデータ挿入部４１０は，上記メタデータエンコーダ４０６から入力されたメタデータを，上記デシリアライザ４０８から入力されてくる映像信号のブランキング領域に，１フレーム毎に順次挿入していく。
【０１２４】
このとき，メタデータ挿入部４１０に入力されてくる映像信号において，例えば，ブランキング領域のうちカメラ設定グループに対応する領域には，図８（ａ）に示すように，上記撮像装置１０によって予めカメラ設定グループのカメラ設定メタデータが挿入された状態となっている。
【０１２５】
一方，このカメラ設定グループ以外の，シーン情報グループ，レンズ設定グループ，ドーリ設定グループに対応する領域には，ダミーデータが挿入された状態となっている。このため，メタデータ挿入部４１０は，図８（ｂ）に示すように，例えば，かかるダミーデータを，実際のシーン情報メタデータ，レンズ設定メタデータ，ドーリ設定メタデータなどにそれぞれ書き換えることで，当該メタデータの当該映像信号へのメタデータの挿入が実現される。かかるメタデータの書き換え処理時には，メタデータ挿入部４１０は，例えば，各メタデータグループの対応領域に付与されているグループ識別情報「Ｋ」およびデータ量情報「Ｌ」に基づいて，当該対応領域の検出，書き換え処理を行うので，書き換え処理を効率的に行うことができる。また，メタデータ挿入部４１０は，このようにメタデータを挿入するときに，例えば，挿入するメタデータと映像信号との遅延時間の位相合わせを行うこともできる。
【０１２６】
シリアライザ４１２は，上記のようにしてメタデータ挿入部４１０によってメタデータが１フレーム毎に付加された映像信号を，パラレル−シリアル変換して，ＶＴＲ５０に送信する。
【０１２７】
このように，本実施形態にかかるメタデータ付加装置４０は，例えば，予めカメラ設定メタデータが付加されている映像信号に対し，さらに，シーン情報メタデータ，レンズ設定メタデータおよびドーリ設定メタデータを追加して付加することができる。
【０１２８】
＜４．４  ビデオテープレコーダ＞
次に，図１１に基づいて，本実施形態にかかるＶＴＲ５０について詳細に説明する。なお，図１１は，本実施形態にかかるＶＴＲ５０の構成を示すブロック図である。
【０１２９】
図１１に示すように，ＶＴＲ５０は，例えば，ＣＰＵ５００と，メモリ部５０２と，デシリアライザ５０４と，信号処理部５０６と，メタデータデコーダ５０８と，記録再生ブロック５１０と，ＥＣＣブロック５１２と，メタデータエンコーダ５１４と，シリアライザ５１６と，を備える。
【０１３０】
ＣＰＵ５００は，演算処理装置および制御装置として機能し，ＶＴＲ５０の各部の処理を制御することができる。このＣＰＵ５００には，タイムコード信号（ＬＴＣ）信号が入力されている。また，メモリ部５０２は，例えば，各種のＲＡＭ，ＲＯＭ，フラッシュメモリ，ハードディスクなどの記憶装置などで構成されており，ＣＰＵ５００の処理に関する各種データ，およびＣＰＵ５００の動作プログラム等を記憶または一時記憶する機能を有する。
【０１３１】
デシリアライザ５０４は，メタデータ付加装置４０から入力された映像信号をシリアル−パラレル変換して，信号処理部５０６に出力する。
【０１３２】
信号処理部５０６は，例えば，映像信号等をビデオテープ５２に対して好適に記録／再生するために，映像信号に各種の処理を施すことができる。例えば，信号処理部５０６は，必要に応じて，ＭＰＥＧ（Ｍｏｖｉｎｇ  Ｐｉｃｔｕｒｅ  Ｅｘｐｅｒｔｓ  Ｇｒｏｕｐ  ｐｈａｓｅ）１，ＭＰＥＧ２，ＭＰＥＧ４，またはＤＣＴ（Ｄｉｓｃｒｅｔｅ  Ｃｏｓｉｎｅ  Ｔｒａｎｓｆｏｒｍ）方式などに基づいて，映像信号を圧縮／伸張処理できる。また，信号処理部５０６は，例えば，上記各信号の記録／再生のタイミング合わせをしたり，映像信号と音声信号を分離して，ＥＣＣ（Ｅｒｒｏｒ  Ｃｏｒｒｅｃｔｉｎｇ  Ｃｏｄｅ：誤り訂正符号）を付与したりもできる。また，信号処理部５０６は，例えば，映像信号に付加されているメタデータをフレーム単位で抽出したり，逆に，デコードされたメタデータを映像信号にフレーム単位で挿入したりできる。
【０１３３】
この信号処理部５０６は，例えば，メタデータ付加装置４０から入力された映像信号をそのままシリアライザ５１４に出力する，あるいは，ビデオテープ５２から再生された映像信号をシリアライザ５１４に出力することができる。
【０１３４】
メタデータデコーダ５０８は，例えば，映像信号から取り出されたメタデータをデコードする。具体的には，メタデータデコーダ５０８は，例えば，記録する上で不要な，当該メタデータに付与されているフラグ（Ｆｌａｇ，ＤＩＤ，ＳＤＩＤ等）およびＣＲＣ等を取り除いて，ＣＰＵ５００に出力する。ＣＰＵ５００は，例えば，このメタデータに上記映像信号と同様にＥＣＣを付与して，記録再生ブロック５１０に出力する。
【０１３５】
記録再生ブロック５１０は，例えば，ビデオヘッドおよび駆動メカニズム（いずれも図示せず。）等から構成されている。この記録再生ブロック５１０は，メタデータが付加された映像信号をビデオテープ５２に対して実際に記録／再生することができる。より詳細には，記録再生ブロック５１０は，例えば，映像信号，音声信号およびメタデータを１フレーム単位でセットにして，ビデオテープ５２の記録エリアに順次，記録していくことができる。また，この記録再生ブロック５１０は，例えば，ビデオテープ５２の記録エリアに記録されている映像信号，音声信号およびメタデータを１フレーム単位でセットにして，順次，再生することができる。
【０１３６】
ＥＣＣブロック５１２は，例えば，上記ＥＣＣに基づいて，記録再生ブロック５１０によってビデオテープ５２から再生された映像信号等の誤り検出を行う。このＥＣＣブロック５１２は，誤り検出完了後に，例えば，再生されたメタデータをＣＰＵ５００に，映像信号及び音声信号を信号処理部５０６に出力する。
【０１３７】
メタデータエンコーダ５１４は，再生されたメタデータを伝送用のフォーマットにエンコード（上記フラグ，ＣＲＣ等を付与）して，信号処理部５０６に出力する。信号処理部５０６は，例えば，ＥＣＣブロック５１２から入力された映像信号及び音声信号と，上記メタデータエンコーダ５１４によってエンコードされたメタデータとを合わせて，シリアライザ５１６に出力する。
【０１３８】
シリアライザ５１６は，信号処理部５０６から入力された映像信号等を，パラレル−シリアル変換して，メタデータ合成装置６０に送信する。
【０１３９】
なお，上記のように，信号処理部５０６，メタデータデコーダ５０８，ＣＰＵ５００および記録再生ブロック５１０などは，本実施形態にかかる記録部として構成されており，メタデータが付加された映像信号を記憶媒体に記録することができる。
【０１４０】
＜４．５  メタデータ合成装置＞
次に，図１２に基づいて，本実施形態にかかるメタデータ合成装置６０について詳細に説明する。なお，図１２は，本実施形態にかかるメタデータ合成装置６０の構成を示すブロック図である。
【０１４１】
図１２に示すように，メタデータ合成装置６０は，例えば，ＣＰＵ６００と，メモリ部６０２と，デシリアライザ６０４と，メタデータ抽出部６０６と，メタデータデコーダ６０８と，メタデータ映像生成部６１０と，メタデータ映像合成部６１２と，シリアライザ６１４と，を備える。
【０１４２】
ＣＰＵ６００は，演算処理装置および制御装置として機能し，メタデータ合成装置６０の各部の処理を制御することができる。また，メモリ部６０２は，例えば，各種のＲＡＭ，ＲＯＭ，フラッシュメモリ，ハードディスクなどの記憶装置などで構成されており，ＣＰＵ６００の処理に関する各種データ，およびＣＰＵ６００の動作プログラム等を記憶または一時記憶する機能を有する。
【０１４３】
デシリアライザ６０４は，ＶＴＲ５０から入力された映像信号をシリアル−パラレル変換して，メタデータ抽出部６０６に出力する。
【０１４４】
メタデータ抽出部６０６は，例えば，映像信号のブランキング領域に挿入されているメタデータを１フレーム毎に抽出する。このとき，メタデータ抽出部６０６は，例えば，ブランキング領域に挿入されている全てのメタデータを抽出するのではなく，例えば，特定のメタデータグループ（例えばシーン情報グループ）のメタデータのみを抽出したり，さらに，当該メタデータグループ内の特定のメタデータ（例えば，タイムコード，シーン番号，テイク番号）のみを抽出したりするようにしてもよい。なお，かかるメタデータの抽出処理時には，メタデータ抽出部６０６は，各メタデータグループに付与されているグループ識別情報「Ｋ」およびデータ量情報「Ｌ」に基づいて，抽出しようとするメタデータグループの位置およびデータ量を把握できるので，必要なメタデータの抽出処理を効率的に行うことができる。
【０１４５】
メタデータ抽出部６０６は，例えば，このようにして抽出したメタデータをメタデータデコーダ６０８に出力する一方，映像信号はそのままの状態でメタデータ映像合成部６１２に出力する。
【０１４６】
メタデータデコーダ６０８は，例えば，メタデータ抽出部６０６から入力されたメタデータをデコードし，メタデータ映像生成部６１０に出力する。
【０１４７】
メタデータ映像生成部６１０は，例えば，メタデータデコーダ６０８から入力されたメタデータを，スーパーインポーズするために映像データに書き換えることができる。即ち，メタデータデコーダ６０８でデコードされたメタデータは，例えばテキストデータ形式のメタデータであるので，メタデータ映像生成部６１０は，このメタデータを映像データ形式に変換する。
【０１４８】
メタデータ映像合成部６１２は，例えば，メタデータ抽出部６０６から入力された映像信号に対して，メタデータ映像生成部６１０で映像データに変換されたメタデータをフレーム単位で順次，合成することができる。換言すると，このメタデータ付加部６１２は，例えば，当該映像信号に対して，映像データ化されたメタデータをフレーム単位で多重して，スーパーインポーズすることができる。
【０１４９】
シリアライザ６１２は，メタデータ映像合成部６１２から入力された映像信号等を，パラレル−シリアル変換して，表示装置７０に送信する。
【０１５０】
このようにして，メタデータ合成装置６０は，撮像装置によって撮影中の映像信号，或いはＶＴＲ５０で再生された映像信号から，そのブランキング領域に挿入されているメタデータを取り出して，当該映像信号にスーパーインポーズすることができる。この結果，かかる映像信号が入力された表示装置７０は，当該メタデータがスーポーインポーズ等された映像を表示することができる。
【０１５１】
これにより，ディレクタ等は，例えば，撮像装置１０によって収録中の映像，あるいは収録後にＶＴＲ５０で再生された映像を，当該映像に関するメタデータとともに閲覧することができる。このため，例えば，タイムコード，シーン番号，テイク番号等がスーパーインポーズ表示されている場合には，ディレクタ等は，当該映像がいかなるシーンの，いかなるテイクの，いかなる時間のものであるかなどを，映像を見ながら容易に識別，確認することができる。
【０１５２】
＜５．映像記録方法＞
次に，図１３に基づいて，上記のような映像記録システム１を用いた本実施形態にかかる映像記録方法について説明する。なお，図１３は，本実施形態にかかる映像記録方法を説明するためのタイミングチャートである。
【０１５３】
図１３（ａ）に示すように，撮影が開始されると，まず，撮像装置１０には，生の映像が，順次，入射される。すると，撮像装置１０は，０フレーム，１フレーム，２フレーム，…とフレーム単位で映像信号を順次生成していく。このとき，撮像装置１０のＣＣＤ等は，例えば，当該映像を例えばプログレッシブ方式でスキャンする。このため，撮像装置１０の出力する映像信号は，撮像装置１０に入射された生の映像に対して，例えば１フレーム程度の遅延が生ずる。この結果，図１３（ｂ）に示すように，ＣＣＵ２０の出力も例えば１フレーム程度遅延する。
【０１５４】
また，上記映像信号の生成と略同時に，撮像装置１０は，カメラ設定メタデータを１フレーム毎に生成し，図１３（ｂ）に示すように，対応するフレームの映像信号のブランキング領域に１フレーム毎に順次挿入していく。これにより，撮像装置１０は，撮像処理を実行して映像信号を生成しながら，当該映像信号に対して，カメラ設定グループのメタデータをフレーム単位で付加することができる。
【０１５５】
また，このような映像装置１０の撮影処理と同時並行して，レンズ装置１２およびドーリ装置１４は，上記撮影処理時における設定情報を収集して，レンズ設定メタデータおよびドーリ設定メタデータを例えば１フレーム毎に生成し，メタデータ付加装置４０に順次出力している。
【０１５６】
さらに，ＣＣＵ２０には，上記撮像装置１０によって生成され，カメラ設定メタデータが１フレーム毎に付加された映像信号が，順次，入力されてくる。ＣＣＵ２０は，図１３（ｂ）に示すように，この映像信号をメタデータ付加装置４０に順次出力していく。
【０１５７】
また，メタデータ付加装置４０は，図１３（ｃ）に示すように，ＣＣＵ２０から入力されてくる映像信号のブランキング領域に，シーン情報メタデータ，レンズ設定メタデータおよびドーリ設定メタデータを，１フレーム毎に順次挿入していく。また，メタデータ付加装置４０は，例えば，当該映像信号に対して１フレーム毎に，タイムコード情報をシーン情報メタデータの１つとして付加していく。このようにして，メタデータ付加装置４０は，上記撮像装置１０による撮影処理と同時並行して，当該映像信号に対して，利用目体に応じてグループ化されたメタデータをフレーム単位で付加することができる。
【０１５８】
さらに，ＶＴＲ５０には，図１３（ｄ）に示すように，例えば，メタデータ付加装置４０から，メタデータが付加された映像信号が順次入力されるとともに，集音装置１８から音声信号が順次入力されてくる。この音声信号は，例えば，一旦メモリ部５０２に貯蔵され，当該映像信号の遅延に合わせて映像信号に同期して記録される。ＶＴＲ５０は，当該映像信号のメタデータをデコードした上で，当該映像信号および同期された音声信号とともに，ビデオテープ５２等にフレーム単位で記録していく。
【０１５９】
以上のように，本実施形態にかかる映像記録方法では，例えば，撮像装置１０による撮影処理を実行しながら，各種のメタデータを生成してグループ化し，当該撮影処理によって生成された映像信号に対して上記グループ化されたメタデータをフレーム単位で付加して，記憶媒体に記録することができる。
【０１６０】
（第２の実施の形態）
次に，本発明の第２の実施形態にかかる映像記録システム１等について説明する。第２の実施形態にかかる映像記録システム１は，上記第１の実施形態にかかる映像記録システム１と比して，撮像装置１０はカメラ設定メタデータを映像信号に付加せず，メタデータ付加装置４０が全てのメタデータをまとめて映像信号に付加する点で相違するのみであり，その他の機能構成は第１の実施形態の場合と略同一であるので，その説明は省略する。
【０１６１】
以下に，図１４に基づいて，本実施形態にかかる映像記録システム１の全体構成および各装置の特徴的な処理機能について説明する。なお，図１４は，本実施形態にかかる映像記録システム１の概略的な構成を示すブロック図である。
【０１６２】
図１４に示すように，本実施形態にかかるメタデータ表示システム１では，例えば，ＣＣＵ２０が，撮像装置１０から取得したカメラ設定メタデータを，ＲＳ−２３２Ｃケーブル等を介して映像信号とは別の経路でメタデータ付加装置４０に出力することができるように構成されている。この構成は，撮像装置１０が，上記第１の実施形態とは異なり，メタデータを映像信号にフレーム単位で付加できない構成である場合に有効である。
【０１６３】
より詳細に説明すると，上記第１の実施形態にかかる撮像装置１０は，図７に示したようにメタデータ付加部１１２を具備していたが，本実施形態にかかる撮像装置１０は，例えば，このメタデータ付加部１１２を備えていない。このため，本実施形態にかかる撮像装置１０は，例えば，信号処理部１０６で生成した映像信号に対して，カメラ設定メタデータをフレーム単位で付加することなく，当該映像信号を送受信部１１４からＣＣＵ２０に出力する。しかし，撮像装置１０とＣＣＵ２０と間では，例えば，光ケーブル等を介して，撮像装置１０のカメラ設定メタデータ等の情報を通信している。このため，ＣＣＵ２０は，必要に応じて撮像装置１０のカメラ設定メタデータを取得することができる。従って，ＣＣＵ２０のＣＰＵ２００等は，例えば，取得したカメラ設定メタデータを，ＲＣ−２３２Ｃケーブルなどを介して，映像とは別に，メタデータ付加装置４０に順次出力することができる。このようにＣＣＵ２０から出力されたカメラ設定メタデータは，メタデータ付加装置４０のメタデータバッファメモリ４０３に，他のメタデータグループのメタデータとともに記憶される。
【０１６４】
メタデータ付加装置４０は，例えば，上記第１の実施形態と同様にして，シーン情報メタデータ，レンズ設定メタデータおよびドーリ設定メタデータに加え，ＣＣＵ２０から取得したカメラ設定メタデータをもグループ化する。さらに，メタデータ付加装置４０は，例えば，これら４つのメタデータグループをパッキングしてＫＬＶ符号化した上で，ＣＣＵ２０から入力されてくる映像信号のブランキング領域に対して，１フレーム単位で順次挿入していく。このようにして，メタデータ付加装置４０は，例えば，映像信号に対して１フレーム単位で全てのメタデータを同時に付加することができる。その後のＶＴＲ５０等の処理は，上記第１の実施形態の場合と略同一であるので，説明を省略する。
【０１６５】
上記のように，第２の実施形態にかかる映像記録システムでは，システム内で生成される例えばシーン情報メタデータ，レンズ設定メタデータ，ドーリ設定メタデータおよびカメラ設定メタデータの全てを，メタデータ付加装置４０に集合させて，まとめて映像信号に付加することができる。このため，例えば，メタデータを付加する機能を有していない撮像装置１０を用いた場合などにも，映像信号に対してフレーム単位であらゆるメタデータを付加することができる。
【０１６６】
以上説明したように，上記第１および第２の実施形態にかかる映像記録システム１及びこれを用いた映像記録方法によれば，撮像装置１０によって生成された映像信号に対して，撮影処理中にリアルタイムで，映像信号に関連するメタデータをフレーム単位で付加して，同一記憶媒体に記録することができる。このため，従来のように，ＰＣ等の端末装置内に記録されたメタデータと，記憶媒体中に記録された映像素材とを，タイムコード等で間接的にリンクする必要がなくなり，映像素材とその映像素材に関するメタデータとを，直接的にリンクさせて記録することができる。従って，映像素材とメタデータを一体的に管理することができるので便利である。また，メタデータの抽出時に映像素材とメタデータの整合性をとる必要が無いので，必要なメタデータを効率的に抽出して利用したり，書き換えたりできる。
【０１６７】
例えば，映像素材の編集段階において，映像素材が編集されてＩｎ点およびｏｕｔ点で切り出されたとしても，対応する部分のメタデータも当該映像素材に付随して切り出される。このため，映像素材とメタデータとの整合性をとらなくても，映像素材と同期させてメタデータを連続的に抽出・表示することができる。また，その後に映像素材を後処理等する場合でも，当該編集後の映像素材からメタデータを迅速かつ容易に抽出して，後処理等に活用することができる。例えば，映像素材と，この映像素材に対応するメタデータとを同時にモニタリングすることにより，オペレータは映像素材の画質，動き等を的確に把握できる。
【０１６８】
また，撮像装置１０が可変速撮影処理することで，記録された映像信号のフレームレートが変化している場合であっても，当該映像信号に対してフレーム単位でメタデータが付加されているので，単位時間当たりの映像信号のフレーム数とメタデータの記録数との間にずれが生じることがない。よって，このような可変速撮影にも対応でき，映像素材とメタデータとを好適にリンクすることができる。
【０１６９】
また，上記のようにメタデータをその利用目的に応じてグループ化して，映像信号に付加することにより，メタデータをグループ単位で抽出，書き換え等することができる。このため，抽出，書き換えするメタデータのデータ量を低減することができるので，処理効率を高めることができる。また，特定のメタデータグループのみのモニタリングや差し替えを，容易かつ迅速に実現することができる。例えば，撮影・収録段階では，シーン情報メタデータのみを抽出して映像に多重して表示することにより，カメラマンおよびディレクタ等は，撮影収録中の映像素材，または収録後に再生された映像素材のインデックス情報（タイムコード，シーン番号，テイク番号等）を的確に把握できる。また，編集段階においてＣＧ合成処理等の後処理を行う場合には，例えば，カメラ設定メタデータのみを抽出して表示することで，映像素材の画質（明るさ，色合い，質感等）を把握でき，一方，例えば，レンズおよびドーリ設定メタデータを抽出して表示することで，撮影時における撮像装置１０および被写体の動き等を的確に把握できる。また，映像素材の収録時におけるカメラマンまたはディレクタ等のコメント（撮影状況のメモ書き等）を例えばシーン情報メタデータに追加しておくことで，撮影部署と編集部署との間等で映像素材に関する意志の疎通を図ることができる。
【０１７０】
以上，添付図面を参照しながら本発明の好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【０１７１】
例えば，上記第１および第２の実施形態にかかる映像記録システム１では，メタデータ付加装置４０は，撮像装置１０，ＣＣＵ２０およびＶＴＲ５０等とは，別体のハードウェアとして構成されていたが，本発明は，かかる例に限定されない。例えば，メタデータ付加装置４０は，撮像装置１０，ＣＣＵ２０またはＶＴＲ５０等のいずれか１つまたは複数と，一体に構成されるように変更してもよい。かかる変更例について，以下に具体例を挙げて説明する。
【０１７２】
まず，図１５に基づいて，変更例１にかかる映像記録システム１の構成について説明する。なお，図１５は，変更例１にかかる映像記録システム１の概略的な構成を示すブロック図である。
【０１７３】
図１５に示すように，変更例１にかかる映像記録システム１では，メタデータ付加装置４０が，ＶＴＲ５０等の映像信号記録装置に内蔵されている。このため，シーン情報メタデータ，レンズ設定メタデータおよびドーリ設定メタデータ等は，レンズ装置１２，ドーリ装置１４およびメタデータ入力用端末装置３０等から，ＲＳ−２３２Ｃケーブル等を介してＶＴＲ５０に入力されている。ＶＴＲ５０に内蔵されたメタデータ付加装置４０の処理機能は，例えば，上記第１の実施形態にかかるメタデータ付加装置４０の処理機能と略同一であり，入力された各種のメタデータをグループ化してＫＬＶ符号化し，映像信号にフレーム単位で付加することができる。このように，メタデータ付加装置４０とＶＴＲ５０とを一体化して構成しても良い。
【０１７４】
次に，図１６に基づいて，変更例２にかかる映像記録システム１の構成について説明する。なお，図１６は，変更例２にかかる映像記録システム１の概略的な構成を示すブロック図である。
【０１７５】
図１６に示すように，変更例２にかかる映像記録システム１では，メタデータ付加装置４０が，撮像装置１０に内蔵されている。このため，シーン情報メタデータ，レンズ設定メタデータおよびドーリ設定メタデータ等は，レンズ装置１２，ドーリ装置１４およびメタデータ入力用端末装置３０等から，ＲＳ−２３２Ｃケーブル等を介して撮像装置１０に入力されている。撮像装置１０に内蔵されたメタデータ付加装置４０の処理機能は，例えば，上記第１の実施形態にかかるメタデータ付加部１１２の処理機能（カメラ設定メタデータを映像信号に付加する機能）と，メタデータ付加装置４０の処理機能（シーン情報設定メタデータ，レンズ設定メタデータおよびレンズ設定メタデータを映像信号に付加する機能）とを合わせた処理機能である。詳細には，撮像装置１０に内蔵されたメタデータ付加装置４０は，例えば，上記４つのメタデータをグループ化してＫＬＶ符号化し，映像信号にフレーム単位で付加することができる。このように，メタデータ付加装置４０と撮像装置１０とを一体化して構成し，撮像装置１０において，カメラ設定メタデータ，シーン情報設定メタデータ，レンズ設定メタデータおよびドーリ設定メタデータのすべてを，映像信号に付加するようにしてもよい。
【０１７６】
このように，メタデータ付加装置４０をＶＴＲ５０または撮像装置１０などに内蔵することにより，システム内の機器数を低減し，機器間の接続の手間等を省力化することができる。
【０１７７】
また，変更例１および変更例２にかかる映像記録システム１では，例えば，ＣＣＵ２０が設けられておらず，撮像装置１０からＶＴＲ５０に対して，ＨＤ  ＳＤＩケーブル等を介して映像信号が送信されている。このように，ＣＣＵ２０の処理機能を撮像装置１０が備えるように構成しても勿論よい。
【０１７８】
さらに，図示はしないが，撮像装置１０を，例えば，映像信号を記憶媒体に記録する機能を備えた撮像装置（カムコーダ等）として構成してもよい。これにより，撮像装置１０が，例えば，上記ＣＣＵ２０，メタデータ付加装置４０およびＶＴＲ５０の全ての機能を備えるように構成することもできる。
【０１７９】
また，上記実施形態では，レンズ装置１２が生成したレンズ設定メタデータは，ＲＳ−２３２Ｃケーブル等を介して出力され，メタデータ付加装置４０で映像信号に付加されたが，本発明はかかる例に限定されない。例えば，撮像装置１０本体との間でレンズの設定情報等を通信可能なレンズ装置１２を採用して，レンズ装置１２から撮像装置１０本体に対して，レンズ設定メタデータ等を直接入力するように構成してもよい。これにより，撮像装置１０のメタデータ付加部１１２が，例えば，カメラ設定メタデータのみならず，レンズ装置１２から取得したレンズ設定メタデータをも映像信号に付加するように構成することもできる。
【０１８０】
また，上記実施形態では，機器間で各種メタデータ等の通信を行うインターフェースとして，ＲＳ−２３２Ｃを採用していたが，かかる例に限定されず，例えば，ＵＳＢ（Ｕｎｉｖｅｒｓａｌ  Ｓｅｒｉａｌ  Ｂｕｓ），ＳＣＳＩ（Ｓｍａｌｌ  Ｃｏｍｐｕｔｅｒ  Ｓｙｓｔｅｍ  Ｉｎｔｅｒｆａｃｅ），シリアルＳＣＳＩ，ＧＰ−ＩＢ（Ｇｅｎｅｒａｌ  Ｐｕｒｐｏｓｅ  Ｉｎｔｅｒｆａｃｅ  Ｂｕｓ）などの各種のインターフェースを利用してもよい。また，上記機器間では，有線通信に限られず，例えば，無線通信によりメタデータ及び／又は映像信号等を伝送してもよい。
【０１８１】
また，上記実施形態では，映像記録システム内で生成される各種のメタデータは，シーン情報グループ，カメラ設定グループ，レンズ設定グループ，ドーリ設定グループからなる４つメタデータグループにグループ分けされていたが，本発明はかかる例に限定されない。例えば，レンズ設定グループとドーリ設定グループとを１つにまとめて，レンズ・ドーリ設定グループするなど，上記４つのメタデータグループをその利用目的に応じて任意に組み合わせても良い。また，上４つのメタデータグループの全てを設ける必要もなく，例えば，上記のうちの１つ以上のメタデータグループを設けるようにしても良い。
【０１８２】
また，上記以外の新たなメタデータグループを設けてもよい。具体的には，例えば，音声情報グループを設け，この音声情報グループ内に，録音方式情報（ステレオ，モノラル，サラウンド等），録音内容情報（マイク１は背景音を録音し，マイク２は俳優の音声を録音している等）などの音声関連情報メタデータをグループ化してもよい。
【０１８３】
また，上記実施形態にかかる映像記録システム１は，メタデータ合成装置６０および表示装置７０を備えていたが，かかる例に限定されず，これらの装置は必ずしも具備されなくてもよい。
【０１８４】
【発明の効果】
以上説明したように，本発明によれば，映像素材とメタデータとを直接的にリンクして記録できる。このため，必要なメタデータを効率的に抽出，表示することができるとともに，映像素材とメタデータを一元管理することができる。また，映像素材が編集によりカットされた場合や，映像素材が可変速撮影されている場合などにも，柔軟に対応してメタデータを活用することができる。
【図面の簡単な説明】
【図１】図１は，第１の実施形態にかかる映像記録システムの概略的な構成を示すブロック図である。
【図２】図２は，第１の実施形態にかかるシーン情報グループに含まれるシーン情報メタデータの具体例を示す説明図である。
【図３】図３は，第１の実施形態にかかるカメラ設定グループに含まれるカメラ設定メタデータの具体例を示す説明図である。
【図４】図４は，第１の実施形態にかかるレンズ設定グループに含まれるレンズ設定メタデータの具体例を示す説明図である。
【図５】図５は，第１の実施形態にかかるドーリ設定グループに含まれるカメラ設定メタデータの具体例を示す説明図である。
【図６】図６は，第１の実施形態にかかるメタデータフォーマットを説明するための説明図である。
【図７】図７は，第１の実施形態にかかる撮像装置の構成を示すブロック図である。
【図８】図８は，第１の実施形態にかかる映像信号にメタデータを付加する態様を説明するための説明図である。
【図９】図９は，第１の実施形態にかかるカメラコントロールユニットの構成を示すブロック図である。
【図１０】図１０は，第１の実施形態にかかるメタデータ付加装置の構成を示すブロック図である。
【図１１】図１１は，第１の実施形態にかかるビデオテープレコーダの構成を示すブロック図である。
【図１２】図１２は，第１の実施形態にかかるメタデータ合成装置の構成を示すブロック図である。
【図１３】図１３は，第１の実施形態にかかる映像記録方法を説明するためのタイミングチャートである。
【図１４】図１４は，第２の実施形態にかかる映像記録システムの概略的な構成を示すブロック図である。
【図１５】図１５は，変更例１にかかる映像記録システムの概略的な構成を示すブロック図である。
【図１６】図１６は，変更例２にかかる映像記録システムの概略的な構成を示すブロック図である。
【符号の説明】
１  ：  映像記録システム
１０  ：  撮像装置
１２  ：  レンズ装置
１４  ：  ドーリ装置
１８  ：  集音装置
２０  ：  カメラコントロールユニット
３０  ：  メタデータ入力用端末装置
４０  ：  メタデータ付加装置
５０  ：  ビデオテープレコーダ
５２  ：  ビデオテープ
６０  ：  メタデータ合成装置
７０  ：  表示装置
１０４  ：  撮像部
１０８  ：  表示部
１１０  ：  カメラ設定メタデータ生成部
１１２  ：  メタデータ付加部
１２６  ：  レンズ設定メタデータ生成部
１４４  ：  ドーリ設定メタデータ生成部
４０３  ：  メタデータバッファメモリ
４０６  ：  メタデータパッキング部
４０８  ：  メタデータエンコーダ
４１０  ：  メタデータ挿入部
５０６  ：  信号処理部
５０８  ：  メタデータデコーダ
５１４  ：  メタデータエンコーダ
６０６  ：  メタデータ抽出部
６０８  ：  メタデータデコーダ
６１０  ：  メタデータ映像生成部
６１２  ：  メタデータ映像合成部
【図１】
2004312264.tif 000003
【図２】
2004312264.tif 000004
【図３】
2004312264.tif 000005
【図４】
2004312264.tif 000006
【図５】
2004312264.tif 000007
【図６】
2004312264.tif 000008
【図７】
2004312264.tif 000009
【図８】
2004312264.tif 000010
【図９】
2004312264.tif 000011
【図１０】
2004312264.tif 000012
【図１１】
2004312264.tif 000013
【図１２】
2004312264.tif 000014
【図１３】
2004312264.tif 000015
【図１４】
2004312264.tif 000016
【図１５】
2004312264.tif 000017
【図１６】
2004312264.tif 000018